(57)【要約】  高圧下で海水または他の流体を送給するための往復ポンプ（１０）。ポンプ（１０）は、内部空間（１３）および内部空間への開口（１８）を画成する本体（１１）を有する。プランジャ（２５）が、開口（１８）を通って内部空間（１３）内に延在する。シース（３０）が開口（１８）を閉鎖しその内側においてプランジャ（２５）を取り囲み、それによって、ポンプチャンバ（３３）が本体（１１）とシース（３０）との間に画成される。シース（３０）は、ポンプチャンバ（３３）内に容量変化を生じさせるために、プランジャ（２５）の往復運動に応じて変形可能であり、基本的に変形しない第１の部分（３１）と、プランジャ（２５）を取り囲み且つプランジャの往復運動に伴い伸縮変形する第２の部分（３２）と、を備えている。第１の部分（３１）には、ポンプ本体（１１）に挟持される装着フランジ（３５）が画成されている。シース（３０）は、その開口端に隣接した窪み（４５）を備え、窪み（４５）内に補強スリーブ（４７）が位置し、補強スリーブ（４７）とプランジャ（２５）との間にキャビティが画成されている。シース（３０）とプランジャ（２５）との間の接触面を潤滑する手段が設けられている。
2007537383.tif 000002
【特許請求の範囲】
【請求項１】
内部空間および前記内部空間への開口を画成する本体と、前記開口を通って前記内部空間内に延在する操作要素と、前記開口を閉鎖しその内側で前記操作要素を取り囲むシースと、前記本体と前記シースとの間に画成されたポンプチャンバと、を備え、前記シースは、前記ポンプチャンバ内に容量変化を生じさせるために、前記操作要素の往復運動に応じて変形可能であり、前記シースの開口端に隣接した前記操作要素の周囲にキャビティを備えている、往復ポンプ。
【請求項２】
前記キャビティは、環状キャビティで構成されている、請求項１に記載の往復ポンプ。
【請求項３】
前記キャビティは、前記操作要素の周囲と囲繞表面との間に画成されている、請求項１または２に記載の往復ポンプ。
【請求項４】
前記囲繞表面は、前記シース内の窪みに位置する補強スリーブによって画成されている、請求項３に記載の往復ポンプ。
【請求項５】
前記補強スリーブは、前記操作要素に摺動可能に係合する摩耗リングを支持している、請求項４に記載の往復ポンプ。
【請求項６】
前記囲繞表面は、前記シースの開口端部分に画成されている、請求項３に記載の往復ポンプ。
【請求項７】
前記シースの前記開口端部分には、前記操作要素から間隔をおいた開口状態に維持するための補強材が組み込まれている、請求項６に記載の往復ポンプ。
【請求項８】
前記キャビティは、シールによってその外側端で閉鎖されている、請求項１〜７のいずれか一項に記載の往復ポンプ。
【請求項９】
前記操作要素は、プランジャとして構成されている、請求項１〜８のいずれか一項に記載の往復ポンプ。
【請求項１０】
前記シースの前記開口端には、装着フランジが設けられている、請求項１〜９のいずれか一項に記載の往復ポンプ。
【請求項１１】
前記シースは、基本的に変形しない第１の部分と、前記プランジャを取り囲み且つ前記プランジャの往復運動に伴い伸縮変形する第２の部分とを備えている、請求項１〜１０のいずれか一項に記載の往復ポンプ。
【請求項１２】
前記第１の部分に、前記装着フランジが設けられている、請求項１１に記載の往復ポンプ。
【請求項１３】
前記キャビティは、前記第１の部分の範囲内に設けられている、請求項１１または１２に記載の往復ポンプ。
【請求項１４】
前記第２の部分は、前記プランジャに当接する表面を備えている、請求項１１、１２または１３に記載の往復ポンプ。
【請求項１５】
前記表面は、潤滑剤を収容するように構成されている、請求項１４に記載の往復ポンプ。
【請求項１６】
前記表面の前記潤滑剤を収容するための構成として、前記表面に収容形状を備えている、請求項１５に記載の往復ポンプ。
【請求項１７】
前記プランジャの外側表面には、ポリテトラフルオロエチレンまたは同様の低摩擦材料が塗布されている、請求項９〜１６のいずれか一項に記載の往復ポンプ。
【請求項１８】
前記シース内に収容される潤滑剤の供給手段をさらに備えている、請求項９〜１７のいずれか一項に記載の往復ポンプ。
【請求項１９】
前記供給手段は、前記シースの内側端に隣接した領域に潤滑剤を送出するように構成されている、請求項１８に記載の往復ポンプ。
【請求項２０】
前記供給手段は、前記操作要素に設けた潤滑剤送出路を含む、請求項１９に記載の往復ポンプ。
【請求項２１】
内部空間および前記内部空間への開口を画成する本体と、前記開口を通って前記内部空間内に延在する操作要素と、前記開口を閉鎖しその内側で前記操作要素を取り囲むシースと、前記本体と前記シースとの間に画成されたポンプチャンバと、前記シースの開口端に隣接して設けた窪みと、前記窪み内に位置した補強スリーブと、を備え、前記シースは、前記ポンプチャンバ内に容量変化を生じさせるために、前記操作要素の往復運動に応じて変形可能であり、前記補強スリーブと前記操作要素との間にキャビティが画成されている、往復ポンプ。
【請求項２２】
前記補強スリーブは、前記操作要素に摺動可能に係合する摩耗リングを支持している、請求項２１に記載の往復ポンプ。
【請求項２３】
前記キャビティは、シールによってその外側端で閉鎖されている、請求項２１または２２に記載の往復ポンプ。
【請求項２４】
内部空間および前記内部空間への開口を画成する本体と、前記開口を通って前記内部空間内に延在するプランジャと、前記開口を閉鎖しその内側で前記プランジャを取り囲むシースと、前記本体と前記シースとの間に画成されたポンプチャンバと、を備え、前記シースは、前記ポンプチャンバ内に容量変化を生じさせるために、前記操作要素の往復運動に応じて変形可能であり、基本的に変形しない第１の部分と、前記プランジャを取り囲み且つ前記プランジャの往復運動に伴い伸縮変形する第２の部分とを備えており、前記第１の部分は、前記本体に挟持されて係合する装着フランジを画成している、往復ポンプ。
【請求項２５】
前記シースの開口端部分に隣接した前記シースの前記第１の部分に窪みが設けられ、前記窪み内に補強スリーブが位置し、前記補強スリーブと前記プランジャとの間にキャビティが画成されている、請求項２４に記載の往復ポンプ。
【請求項２６】
内部空間および前記内部空間への開口を画成する本体と、前記開口を通って前記内部空間内に延在するプランジャと、前記開口を閉鎖しその内側で前記プランジャを取り囲むシースと、前記本体と前記シースとの間に画成されたポンプチャンバと、を備え、前記シースは、前記ポンプチャンバ内に容量変化を生じさせるために、前記操作要素の往復運動に応じて変形可能であり、前記プランジャと前記シースとの間の領域内に潤滑剤を供給するための供給手段を備えている、往復ポンプ。
【請求項２７】
前記供給手段は、前記シースの内側端に隣接した領域に潤滑剤を送出するように構成されている、請求項２６に記載の往復ポンプ。
【請求項２８】
前記供給手段は、前記プランジャに設けた潤滑剤送出路を含む、請求項２７に記載の往復ポンプ。
【請求項２９】
請求項１〜２８のいずれか一項に記載された往復ポンプ用のシース。
【請求項３０】
装着フランジを画成する第１の部分と、前記シース内に受容されたプランジャを取り囲むように構成された第２の部分と、を備え、前記第２の部分は、前記プランジャの往復運動に応じて伸縮可能である、シース。
【請求項３１】
前記第２の部分は、前記プランジャに当接する表面を備え、前記表面は潤滑剤を収容するように構成されている、請求項３０に記載のシース。
【請求項３２】
開口端に隣接した前記第１の部分に窪みを備え、前記窪みは、補強スリーブを受容するように適合されている、請求項３０または３１に記載のシース。
【請求項３３】
実質的に添付の図面を参照して本明細書に記載のような往復ポンプ。
【請求項３４】
実質的に添付の図面を参照して本明細書に記載のようなシース。
【発明の詳細な説明】
【技術分野】
【０００１】
本発明は、往復ポンプに関する。
【０００２】
本発明は、主に高圧で海水を圧送する目的でなされた。しかし本発明は、海水以外の様々な流体の圧送にも適用可能であると理解されるべきである。
【背景技術】
【０００３】
国際出願第ＰＣＴ／ＡＵ０３／００８１３号には、波のエネルギを利用し、波のエネルギを任意の方法で使用するための加圧流体に転換する提案がなされている。典型的な適用例では、流体は、機器が作用する海洋環境から引かれた海水であり、この海水は、高圧下で沿岸へ圧送され、沿岸で使用される。
【０００４】
波エネルギによって動力供給される（したがって、比較的速度の遅い可変ストロークを有することが多い）往復ポンプを使用して、およそ７０バールを超える高圧で海水を圧送することには、種々の技術的困難が伴う可能性がある。
【０００５】
過酷な動作環境、たとえば高圧下での海水の圧送に利用されるポンプは、様々な属性が必要とされる。たとえば、長い耐用年数にわたって腐食性流体または他の攻撃性流体（海水等）を扱う能力が要求されるであろうし、さらには、不規則な非正弦ストロークで駆動される能力を必要とすることもある（波の運動等の再生可能なエネルギ源によって直接動力供給されたドライブトレインで駆動され得るように）。ある程度の不整合（例えばピストン軸の傾斜）を許容する必要があることもある。ポンプは、メンテナンスが容易なこと（例えば潤滑が容易なこと）が望まれるであろうし、さらに、低機械損失（すなわち高効率）であることは、特に有利である。
【０００６】
本発明は、上記のような属性の少なくとも１つに合致するポンプを提供することを目的としている。
【発明の開示】
【０００７】
本発明の１つの態様によれば、内部空間および内部空間への開口を画成する本体と、開口を通って内部空間内に延在する操作要素と、開口を閉鎖し操作要素の内側部分を取り囲むシースと、本体とシースとの間に画成されたポンプチャンバであって、シースは、ポンプチャンバ内の容量変化を生じるために操作要素の往復運動に応答して変形可能であるポンプチャンバと、シースの開口端に隣接した操作要素のまわりのキャビティと、を備える往復ポンプが提供される。
【０００８】
キャビティは、１つ以上の目的を果たしてもよい。キャビティは、たとえば、潤滑剤用の溜を提供してもよい。またキャビティは、代替的に、操作要素の角度不整合に適応するための構成であってもよい。
【０００９】
典型的に、キャビティは環状キャビティで構成されている。
【００１０】
好ましくは、キャビティは、操作要素の周囲と囲繞表面との間に画成される。
【００１１】
１つの態様において、囲繞表面は、シースとは別個に形成されシース内の窪みに位置する補強スリーブによって画成されても良い。
【００１２】
別の態様において、囲繞表面は、シースの開口端部分によって画成されてもよい。そのような態様において、シースの開口端部分は、操作要素から間隔をおいた開口状態に端を維持するために補強材を備え、それにより、シースの開口端部分と操作要素との間にキャビティが画成されていても良い。補強材は、シースに組み込まれた補強リングを備えていても良い。
【００１３】
キャビティは、ワイパーシール等のシールによってその外側端で閉鎖されていても良い。
【００１４】
操作要素は、プランジャとして構成されてもよい。
【００１５】
シースの開口端は、装着フランジを提供するように構成されてもよい。
【００１６】
シースは、基本的に変形せず好ましくは装着フランジをなす第１の部分と、プランジャを取り囲み且つプランジャの往復運動に伴い伸縮変形する第２の部分とを備えていても良い。
【００１７】
好ましくは、キャビティは、第１の部分の範囲内に設けられる。
【００１８】
第２の部分は、プランジャに当接する表面を備えていても良い。プランジャに当接するシュラウドをなす第２の部分の表面は、潤滑剤を収容するように構成されていてもよい。
【００１９】
潤滑剤を収容するための表面の構成は、表面にフォーメーションを備えてもよい。フォーメーションは、潤滑剤を捉えることができる割れ目を形成してもよい。フォーメーションは、突部（knob）、突条（ridge）または他の突起、または、代替的に、凹部（dimple）などの適宜形態とすることができる。
【００２０】
潤滑剤は、プランジャの外側表面とシースの内側表面との間の滑り摩擦を低減し、２つの表面の間に締め付けを生じずに均一な摺動が可能であれば、どの部分に施されていても良い。
【００２１】
潤滑剤としては、例えば、海水自体、シリコングリース、ヒマシ油、ブレーキ液およびポリプロピレングリコールを利用可能である。
【００２２】
プランジャの外側表面には、低摩擦材料たとえばポリテトラフルオロエチレン等が塗布されても良い。
【００２３】
シース内に潤滑剤が収容されるように構成してもよい。その構成は、シースの内側表面にフォーメーションを含んでもよい。潤滑剤は、重力下かまたは圧力下のいずれかで供給されてもよい。
【００２４】
１つの態様において、潤滑剤は、シースの内側端に隣接した領域に供給されるように構成できる。これは、操作要素における潤滑剤送出路によって行うことができる。
【００２５】
本発明の第２の態様によれば、内部空間および内部空間への開口を画成する本体と、開口を通って内部空間内に延在する操作要素と、開口を閉鎖し操作要素の内側部分を取り囲むシースと、本体とシースとの間に画成されたポンプチャンバであって、シースは、ポンプチャンバ内の容量変化を生じるために操作要素の往復運動に応じて変形可能であるようなポンプチャンバと、その開口端に隣接したシースの窪みと、窪みに位置する補強スリーブであって、それによって補強スリーブと操作要素との間にキャビティが画成される補強スリーブと、を備える往復ポンプが提供される。
【００２６】
本発明の第３の態様によれば、内部空間および内部空間への開口を画成する本体と、開口を通って内部空間内に延在するプランジャと、開口を閉鎖しプランジャの内側部分を取り囲むシースと、本体とシースとの間に画成されたポンプチャンバであって、シースは、ポンプチャンバ内の容量変化を生じるためにプランジャの往復運動に応じて変形可能であり、シースは、基本的に変形しない第１の部分と、プランジャを取り囲み且つプランジャの往復運動に伴い伸縮変形する第２の部分と、を備え、第１の部分は本体に挟持されて係合する装着フランジを画成するようなポンプチャンバと、を備える往復ポンプが提供される。
【００２７】
本発明の第４の態様によれば、内部空間および内部空間への開口を画成する本体と、開口を通って内部空間内に延在するプランジャと、開口を閉鎖しプランジャの内側部分を取り囲むシースと、本体とシースとの間に画成されたポンプチャンバであって、シースは、ポンプチャンバ内の容量変化を生じるためにプランジャの往復運動に応じて変形可能であるようなポンプチャンバと、プランジャとシースとの間の領域内に潤滑剤を供給するための供給手段と、を備える往復ポンプが提供される。
【００２８】
本発明の第５の態様によれば、シースであって、装着フランジを画成する第１の部分と、シース内に受容されたプランジャを取り囲むように構成された第２の部分と、を備え、第２の部分はプランジャの往復運動に伴い伸縮するようなシースが提供される。
【００２９】
本発明は、添付の図面に示されるように、各実施形態の下記説明を参照することによってより良好に理解されるであろう。
【発明を実施するための最良の形態】
【００３０】
図１〜１４を参照すると、第１の実施形態による往復ポンプ１０が示され、これは高圧下で海水を圧送するために特に適している。海水は、海洋から導引されるため、初期圧力は、海水が取込まれる海洋深度の静水圧に対応している。
【００３１】
ポンプ１０が波エネルギによって動力供給される場合には、一般に速度の遅い可変ストロークで作動する。ポンプは、特にそのような用途に適した構造をなしている。
【００３２】
ポンプ１０は、内部空間１３を画成する円筒形圧力容器として構成された本体１１を備えている。本体１１は、円筒形側壁１５と、円筒形側壁１５の一方の端に端壁１７と、を備えている。端壁１７は、その中に開口１８を有する。円筒形側壁１５の他方の端は、基部１９によって閉鎖される。
【００３３】
端壁１７は、円筒形側壁１５に取り外し可能に接続されたエンドプレート２０によって画成され、取り外し可能な接続は、この実施形態では、ねじ等の締結具によって提供されている。
【００３４】
ポンプ１０は、円筒形側面２６および端面２７を有するプランジャ２５を含む操作要素２３をさらに備えている。プランジャ２５は、たとえば、波の動きによって動力供給されるドライブトレインの影響下で往復運動を受けるように適合されたコネクタ２８に取り付けられる。この実施形態において、コネクタ２８は、レバー（図示せず）に接続されたヒンジピン２９に係合するヒンジブッシュとして構成され、それによってレバーの往復は、プランジャ２５に往復運動を与える。
【００３５】
プランジャ２５は、端壁１７内の開口１８を通って内部空間１３内に延在している。
【００３６】
シース３０は、内部空間１３内に延在するプランジャ２５のその部分を取り囲むために開口１８の周囲で本体１１に装着される。シース３０は、エラストマー材料、好ましくはゴムで構成されている。
【００３７】
シース３０は、開口１８を閉鎖するために本体１１に取り付けられ、それによって、ポンプチャンバ３３が、シース３０と本体１１との間に画成される。シース３０は、ポンプチャンバ３３用に変形可能な境界表面を提供し、それによって、境界表面が変形すると、ポンプチャンバ３３の容量変化を生じる。
【００３８】
本体１１は、入口１２および出口１４を備え、その両方がポンプチャンバ３３に連通している。
【００３９】
シース３０は、第１の部分３１および第２の部分３２を備え、２つの部分は一体に形成されている。第１の部分３１は、ポンプの操作中に大幅な変形は受けないという意味で、実質的に剛体である。第２の部分３２は、プランジャ２５を取り囲み、ポンプの操作中に伸長および収縮を受けるように適合されている。
【００４０】
第１の部分３１は、装着フランジ３５を提供するように構成されている。第２の部分３２は、略管状構造であり、管状壁セクション３６および端セクション３７を伴い、第１の部分３１によって設けられたフランジ３５は、管状壁セクション３６の一方の端にあり、管状壁セクションの他方の端は、端セクション３７によって閉鎖されている。
【００４１】
第１の部分３１によって画成された装着フランジ３５は、端壁１７と環状座３８との間に挟持された状態で本体１１に固定される。座３８は、端壁１７の内向きに円筒形側壁１５に内側に設けられた環状の段部４０に装着された座要素３９によって画成される。
【００４２】
装着フランジ３５は、端壁１７に当接するための外側端面４１と、それに封止係合した座３８に当接するための内側端面４３と、を有する。
【００４３】
第１の部分３１は、外側端面４１に開口する環状の窪み４５を備えている。この窪み４５は、補強スリーブ４７を受容しうる大きさ形状をなしている。補強スリーブ４７は、環状構造であり、プランジャ２５の直径よりも大きな直径の中心開口を画成する内側面４９を有する。このような構成により、スリーブ４７とプランジャ２５との間にギャップ５１が画成される。
【００４４】
補強スリーブ４７は、剛構造であり、この実施形態では、鋼から作られる。補強スリーブ４７は、フランジに補強構造を提供するように作用し、より詳細には、ギャップ５１の存在を維持する。
【００４５】
ギャップ５１の目的は、潤滑剤を収容するためのキャビティを提供することである。潤滑剤は、プランジャ２５の外側表面とシースの内側表面との間の滑り摩擦を減少するいずれの液体であってもよい。
【００４６】
さらに、ギャップ５１は、本体１１に対するプランジャ２５のいずれのわずかな不整合に適応するためのいくつかの隙間空間を提供する。
【００４７】
さらに、補強スリーブ４７は、装着フランジ３５と座３８との間のクランプ係合によってフランジ３５が圧縮されるときにフランジ３５に外向き半径方向力をかけるように作用し、それによって、シース３０と本体１１との間に高圧封止が形成されるのを確実にする。より詳細には、スリーブ４７によってかけられた半径方向力は、フランジの内側面４３と環状支持座３８との間に確立された高圧封止があるのを確実にするように作用する。
【００４８】
補強スリーブ４７は、その内側面に窪み５２を有し、プランジャ２５の外側表面に摺動接触するために摩耗バンド５３を保持する。したがって、摩耗バンド５３は、図面に示されるように、補強スリーブ４７の内側面を越えて突出する。摩耗バンド５３はギャップ５１を完全には占有せず、それにより、ギャップ５１は、その意図された目的に利用可能である。
【００４９】
ワイパーシール５５が、補強スリーブ４７とエンドプレート２０との間に収容される。ワイパーシール５５は、プランジャ２５に摺動可能に係合し、プランジャがその往復運動を実行するときに潤滑剤の損失を抑制する目的のために設けられている。
【００５０】
プランジャ２５の外側表面は、適切な低摩擦材料が塗布されていてもよい。
【００５１】
図面には示されていないが、ポンプ１０はまた、入口１２を通ってポンプチャンバ３３内に入り出口１４を通ってポンプチャンバ３３から出る流体流れの方向を制御するために、適切な配列の弁も備えている。
【００５２】
シース３０の第２の部分３２は、プランジャ２５の輪郭に沿って形成されているので、シースの伸張は、主にその管状壁部分３６に発生する。これは、結果として、プランジャ２５がポンプストローク中に内向きに動くときにエラストマー材料を伸張し、管状壁部分３６が薄くなることになる。ポンプサイクル中に海水によって発生した圧力は、シースのまわりの流体速度が低い場合には、ほぼ静的に作用し、そのため、流体力は、シースをプランジャ２５に接触した状態で維持するように作用する。これは、折り目や応力集中部分の形成を防止し、シースの持続性および耐用年数を維持するのを支援する。プランジャ２５は、管状壁セクション３６ならびに端セクション３７に、それらが高い流体圧力を受けるときに、側方向支持を与える表面を提供する。
【００５３】
シースを形成するエラストマー材料が天然ゴムであって、上記に示されたように海水を圧送するためにポンプが使用される場合に、水に接触するゴムの表面の２ｍｍまでが、たとえば、２０年の期間にわたって摩耗すると予測される。そのような場合に、シートの厚さを、ポンプの使用可能な寿命にわたってこの減少に対応できるように十分大きく作ることが重要である。
【００５４】
シース３０は、窪み４５より下の領域でその内側表面に肋材６１を組み込み、ギャップ５１によって設けられた潤滑剤溜から重力の影響下でシースの他の部分に対して下向きに潤滑剤を供給するのを可能にする。潤滑剤の下向き流れもまた、シース３０の第２の部分３２の内径をプランジャの外径よりもわずかに大きく作ることによって支援されてもよく、そのため、ポンプサイクルの取水ストロークの少なくとも初期部分中に幾分の隙間があり、その場合、圧送される流体の圧力は、この隙間をゼロにするほどに高くはない。
【００５５】
プランジャ２５は、潤滑剤を送出するために端面２７へ延在する軸方向通路７１を備えている。通路７１は、外部の供給源から潤滑剤を受け取る。この態様では、シース３０の内側端に隣接する領域へ、すなわち、プランジャ端面２７とシース端セクション３７との間の接触面へ、潤滑剤を送出することができる。
【００５６】
潤滑剤は、通路７１に沿って下向きに流れ、次いで、プランジャ２５の円筒形面２６とシースの管状壁部分３６との間を上向きに流れる潤滑剤材料（海水等）の連続流れを備えてもよい。この形態で、いくらかの余剰潤滑剤は、シース３０からその開口端を通って流れることができる。
【００５７】
この実施形態において、潤滑剤は、ポンプによって送出された高圧海水から調達される海水を含んでいる。これは、図面の図１および２に最良に見られるように、ポンプ出口１４から軸方向通路７１へ延在するバイパスライン７５によって達成される。バイパスライン７５は、当然ながら、可撓性を有するか、または、出口１４が形成されるポンプ本体１１に対するプランジャ２５の運動に適応可能な構造とする必要がある。弁７７は、この実施形態ではニードル弁を備えており、高圧海水をポンプ出口１４から軸方向通路７１へ供給するのを規制するためにバイパスライン７５に連結される。
【００５８】
プランジャ２５は、コネクタ２８に取り付けられたヘッドセクション８３と、ヘッドセクション８３から下向きに延在するチューブ８５と、を含む第１の部分８１を備えている。プランジャ２５は、プランジャの円筒形側面２６および端面２７を提供するために、第１の部分８１に嵌るように適合された第２の部分８７をさらに備えている。第２の部分８７は、略円筒形形態であり、円筒形側壁部分９１および端壁部分９３を有する。端壁部分９３は、第２の部分８７が第１の部分８１に嵌るときにチューブ８５が中に位置する開口９５を組み込む。開口９５は、ディフューザ９７を受け取るように構成される。ディフューザ９７は、チューブ８５にねじ込み式に係合する。ディフューザ９７は、ディフューザ通路９９を有し、これは、チューブ８５に連通して、チューブに沿って送出された海水を受け取り、それをプランジャから拡散する。
【００５９】
偏向板１０１がシース３０に組み込まれ、ディフューザ９７に当接する。このようにして、ディフューザ９５を通って送出される海水は、偏向板１０１に衝突し、これは次いで、プランジャ２５とシース３０との間のインタフェース内に海水を分配する。
【００６０】
次に、図面の図１５および１６を参照すると、第２の実施形態によるポンプ用のシース３０が示される。第２の実施形態によるポンプは、多くの点で第１の実施形態に類似しており、そのため、対応する参照符号を使用して類似部品を識別する。この実施形態において、シース３０は、第１の実施形態のシースに類似したやり方で構造されるが、シースの第２の部分３２の内側面１０７にフォーメーション１０５が設けられ、プランジャ２５の隣接する面２６に当接することが異なる。フォーメーション１０５は、潤滑剤を収容するために割れ目１１１を画成するように構成される。この実施形態において、フォーメーション１０５は突起物１０９のアレイを備え、その間に空間１１３が画成され、これは、潤滑剤を収容するために割れ目１１１を提供する。空間１１３は、潤滑剤がプランジャ２５とシース３０との間のインタフェースのまわりに移動するのを可能にし、特に、シース３０がプランジャの当接する表面２６に係合するようにしっかり押圧されないポンプサイクル中の段階ではそうである。ポンプチャンバ３３内の流体圧力が、シース３０の第２の部分３２がプランジャ２５の当接する表面２６に係合するようにしっかりと押圧されるレベルである段階で、フォーメーション１０５は協働して、潤滑剤を適所で捉えるポケットまたはゾーンを形成し、それによって、シースの第２の部分３２とプランジャ２５との間のインタフェースに適量の潤滑剤が確実に保持されるようにする。
【００６１】
ポンプの用途によっては、プランジャを通って潤滑剤を送出する必要なく、ギャップ５１からの重力供給によるか、または、フォーメーション１０５によって保持される潤滑剤に依存することが可能である。
【００６２】
図示されていない別の実施形態において、シース３０の第２の部分３２の端セクション３７は、プランジャ２５の端面に取り付けられてもよい。取付は、締結具によって提供されてもよく、シースの端セクション３７は、プランジャ２５の端面２７と、プランジャに取り付けるために締結具が延在するのに通るクランププレートと、の間にクランプされる。そのような取付は、シース３０が常にプランジャ２５の戻り（外向き）ストロークとともに引かれることを確実にする。当然ながら、適切な流体封止が締結具のまわりに確立される必要があり、それによってシースの一体性は損なわれない。
【００６３】
以上述べたように、本実施形態は、簡単な構成ではあるが、過酷な環境での使用に耐え得る高効率のポンプを提供する。これは、ポンプサイクル中に海水に曝されるポンプの作用表面が、ポンプ本体１１の表面とその中に収容されるシース３０の表面とで構成されているからである。このような構造により、上記ポンプは、波エネルギによって動力供給された駆動システムから発生する不規則な非正弦ストロークで駆動することができる。さらに、プランジャ２５がポンプ本体１１内に支持される構成により、プランジャ２５とポンプ本体１１との間の偏位を許容することができる。シース３０の可撓性は、その第１および第２の部分３１、３２の両方において上記の偏位吸収構造を支援する。
【００６４】
本発明の範囲は、記載された実施形態の範囲に限定されないことを認識すべきである。たとえば、実施形態によるポンプは海水を圧送することに関して記載されてきたが、本発明にしたがったポンプは、液体、気体およびスラリーを含む様々な他の流体材料を圧送するのに用途を見出してもよい。
【００６５】
本発明の範囲から逸脱することなく、修正および変更を行うことができる。
【００６６】
本明細書全体にわたって、文脈上他の意味に解すべき場合を除き、「備える（ｃｏｍｐｒｉｓｅ）」という用語や「備えている（ｃｏｍｐｒｉｓｉｎｇ）」等の変化形は、述べられた整数または整数の群を含むことを暗示するが、いずれの他の整数または整数の群を除外しないことが理解されるであろう。
【図面の簡単な説明】
【００６７】
【図１】第１の実施形態による往復ポンプの概略斜視図である。
【図２】図１のポンプの正断面図である。
【図３】図１のポンプの側断面図である。
【図４】ポンププランジャとポンプ本体との間の部品の配列を例示した要部拡大図である。
【図５】ポンプ本体の立断面面図である。
【図６】ポンプのシース形成部分の概略斜視図である。
【図７】シースの側面図である。
【図８】シースの部分を例示した要部拡大図である。
【図９】ポンププランジャの上部部分の側面図である。
【図１０】ポンププランジャの下部部分の斜視図である。
【図１１】下部プランジャ部分の立断面図である。
【図１２】ディフューザが収容されたプランジャの一方の端を示す要部拡大図である。
【図１３】ディフューザの立断面面図である。
【図１４】ディフューザの概略斜視図である。
【図１５】第２の実施形態によるポンプ用のシースの概略立面図である。
【図１６】図１５のシースの部分を例示する図である。
【図１】
2007537383.tif 000003
【図２】
2007537383.tif 000004
【図３】
2007537383.tif 000005
【図４】
2007537383.tif 000006
【図５】
2007537383.tif 000007
【図６】
2007537383.tif 000008
【図７】
2007537383.tif 000009
【図８】
2007537383.tif 000010
【図９】
2007537383.tif 000011
【図１０】
2007537383.tif 000012
【図１１】
2007537383.tif 000013
【図１２】
2007537383.tif 000014
【図１３】
2007537383.tif 000015
【図１４】
2007537383.tif 000016
【図１５】
2007537383.tif 000017
【図１６】
2007537383.tif 000018
【国際調査報告】
2007537383.tif 000019
2007537383.tif 000020
2007537383.tif 000021